(57)【要約】【課題】      糊付けが不要であり、糊代部を含むペーパークラフトの輪郭に沿った切抜きが全く不要または輪郭に沿って極めて簡単に切離せ、しかも折曲げ作業が行い易いペーパークラフトを提供する。【解決手段】  折り目に沿って折り曲げることにより三次元の形態を形成するためのペーパークラフトであって、ペーパークラフトＡはペーパークラフトの本体部１と糊代部２とを含んだ輪郭を有しており、片面に剥離層１０ａが設けられている剥離紙１０と片面に粘着層２０ａが設けられているシート２０とを剥離層と粘着層が接して貼り合されて構成される。剥離紙において剥離層と反対側の面１０ｂに印刷が施されており、本体部１と糊代部２との境界線１ａにおいて剥離紙１０のみがカット１１されており、本体部１における折り目１ｂに沿って折り罫１２またはミシン罫が設けられている。【選択図】    図３
0003122516.tif 000002
【実用新案登録請求の範囲】
【請求項１】
折り目に沿って折り曲げることにより三次元の形態を形成するためのペーパークラフトであって、該ペーパークラフトはペーパークラフトの本体部と糊代部とを含んだ輪郭を有しており、片面に剥離層が設けられている剥離紙と片面に粘着層が設けられているシートとを前記剥離層と前記粘着層が接して貼り合されて構成され、前記剥離紙において剥離層と反対側の面に印刷が施されており、本体部と糊代部との境界線において剥離紙のみがカットされており、前記本体部における折り目に沿って折り罫またはミシン罫が設けられていることを特徴とするペーパークラフト。
【請求項２】
片面に剥離層が設けられている剥離紙と片面に粘着層が設けられているシートとを前記剥離層と前記粘着層が接して貼り合された用紙であって、前記剥離紙において剥離層と反対側の面に本体部と糊代部とからなるペーパークラフトが印刷されており、前記ペーパークラフトの輪郭に沿って切離し用切込みが前記用紙に形成されており、前記ペーパークラフトの本体部と糊代部との境界線において剥離紙のみがカットされており、本体部における折り目に沿って折り罫またはミシン罫が設けられていることを特徴とするペーパークラフト。
【請求項３】
前記粘着層が設けられているシートにおいて粘着層と反対側の面にペーパークラフト作成のための説明が印刷されていることを特徴とする請求項１または請求項２記載のペーパークラフト。
【考案の詳細な説明】
【技術分野】
【０００１】
本考案は、折り目に沿って折曲げ、貼合せることにより三次元の形態を形成するためのペーパークラフトに関するものである。なお、本明細書においては、ペーパークラフトは三次元の形態とする前の平らな状態のものを言い、１つまたは複数のピースを折曲げ、貼合せ等の作業により立体的にしたものをペーパークラフト組立て体と称する。
【背景技術】
【０００２】
従来、三次元の形態を有するもの、例えばおもちゃ、を平面に展開した絵柄をペーパーに印刷したものが、単品または雑誌の付録や景品等として多く販売または利用されている。このようなペーパークラフトを組立てるには、ペーパークラフトの輪郭に沿って鋏やカッターを用いて切抜き、折り目に沿って折曲げ、糊代部に糊を付けて貼合せることが必要である。
【０００３】
しかし、ペーパークラフトの輪郭が複雑なものでは、その輪郭に沿って綺麗に切抜くことが難しい。特に、子供や不器用な人には難しい。また、折曲げ作業も所定箇所を折曲げなければ、所望の立体形状を得ることができないので、注意および根気が必要となる。更に、糊付け作業では手を汚し易く、糊付け箇所が多くなると、糊付けおよび貼合せに時間が掛り、根気を要する。
【０００４】
このような糊付けの問題を解決するために実用新案登録第３０４８７６３号公報（特許文献１）には、普通紙の表面に所要の絵柄および絵柄の輪郭外の所定個所に糊代部を区画印刷し、上記絵柄の印刷範囲内における普通紙の裏面で前記糊代部が貼布される対応部位に糊面を設けるとともにその糊面側に普通紙と同大の剥離紙を密着させ、前記絵柄および糊代部の外郭に切抜き線および折曲用筋目線を印刷したペーパークラフトが開示されている。
【０００５】
特開２００２−２６４４７５号公報（特許文献２）には、少なくとも第一のプリンタ印字層と、支持体を挟んで裏側に粘着層及び剥離層及び第二のプリンタ印字層を順に設けてなることを特徴とするペーパークラフト用紙が開示されており、また、少なくとも第一のプリンタ印字層と、支持体を挟んで裏側に粘着層及び剥離層および第二のプリンタ印字層を順に設けてなるペーパークラフト用紙の第一のプリンタ印字層にペーパークラフトデザインを印字し、第二のプリンタ印字層には、第一のプリンタ印字層に印字したペーパークラフトデザインに対応する少なくとも糊代部分を含む作製情報を印字することを特徴とするペーパークラフト作製方法が開示されている。この特許文献２も糊付けを不要とすることを課題としているものである。
【特許文献１】実用新案登録第３０４８７６３号公報
【特許文献２】特開２００２−２６４４７５号公報
【考案の開示】
【考案が解決しようとする課題】
【０００６】
前述した特許文献１に開示されているものでは、糊付け部分を絵柄に合わせて形成しなければならず、正確に位置決めして形成することは困難である。また、絵柄を変える毎に、糊付け部分の位置や大きさも変える必要があり、糊殺しまたはスポット糊付けの何れであっても、正確に位置決めした糊付け部分を形成することは困難であり、従って、絵柄の変更が容易ではない。このように糊付け部分の形成に問題がある。更に、特許文献１のものではペーパークラフトの切抜きが必要であり、輪郭に沿って綺麗に切抜くことが難しいと言う問題がある。また、特許文献１のペーパークラフトでは、山折りや谷折りすべき箇所に点線や一点鎖線が印刷されているだけであるので、折曲げ作業も容易ではないという問題がある。
【０００７】
また、特許文献２のものでは、第二のプリンタ印字層にペーパークラフトのデータから外形枠線と糊代部分、折り線が抽出されて印刷され、外形枠線および糊代部分に沿ってカッターナイフで切抜くと記載されているが、特許文献１と同様にとペーパークラフトの切抜きが必要であり、輪郭（外形枠線）に沿って綺麗に切抜くことが難しいと言う問題がある。更に、糊代部分については、剥離層と第二のプリンタ印字層を剥離すると記載されているが、支持体を損傷しないで、剥離層と第二のプリンタ印字層だけに切込みを入れることは極めて困難である。すなわち、カッターナイフで糊代部分の輪郭に沿って剥離層と第二のプリンタ印字層だけカットしようとしても、少し力が入れば支持体をもカットしてしまうことになる。また、特許文献２においても、折曲げる箇所に線が印刷されているだけであるので、折曲げ作業も容易ではないという問題がある。
【０００８】
本考案はこのような従来の問題を解決し、糊付けが不要であり、糊代部を含むペーパークラフトの輪郭に沿った切抜きが全く不要または輪郭に沿って極めて簡単に切離せ、しかも折曲げ作業が行い易いペーパークラフトを提供する。
【課題を解決するための手段】
【０００９】
本考案は、折り目に沿って折り曲げることにより三次元の形態を形成するためのペーパークラフトであって、該ペーパークラフトはペーパークラフトの本体部と糊代部とを含んだ輪郭を有しており、片面に剥離層が設けられている剥離紙と片面に粘着層が設けられているシートとを前記剥離層と前記粘着層が接して貼り合されて構成され、前記剥離紙において剥離層と反対側の面に印刷が施されており、本体部と糊代部との境界線において剥離紙のみがカットされており、前記本体部における折り目に沿って折り罫またはミシン罫が設けられていることを特徴とするペーパークラフトによって前記目的を達成する。なお、本考案では、糊代部以外のペーパークラフト部分を本体部と称する。
【００１０】
また、本考案は、片面に剥離層が設けられている剥離紙と片面に粘着層が設けられているシートとを前記剥離層と前記粘着層が接して貼り合された用紙であって、前記剥離紙において剥離層と反対側の面に本体部と糊代部とからなるペーパークラフトが印刷されており、前記ペーパークラフトの輪郭に沿って切離し用切込みが前記用紙に形成されており、前記ペーパークラフトの本体部と糊代部との境界線において剥離紙のみがカットされており、本体部における折り目に沿って折り罫またはミシン罫が設けられていることを特徴とするペーパークラフトによって前記目的を達成する。
【００１１】
本考案においては、粘着層が設けられているシートにおいて粘着層と反対側の面にペーパークラフト組立て体を作成するための説明が印刷されていることが好ましい。
【考案の効果】
【００１２】
本考案によれば、ペーパークラフトの本体部と糊代部との境界線において剥離紙のみがカットされている。従って、糊代部の剥離紙を剥がすと、貼合せたシートの粘着層が現れるので、糊代部に糊を付ける必要がない。しかも、剥離紙を剥がすだけであるので手を汚したりしない。
【００１３】
本考案のペーパークラフトは予め所定の輪郭に裁断されているか、所望のペーパークラフトの輪郭に沿って切離し用切込みが形成されているので、ペーパークラフトの輪郭に沿った切抜きが全く不要または輪郭に沿って極めて簡単に切離すことができる。
【００１４】
また、本考案によれば、本体部における折り目に沿って折り罫またはミシン罫が設けられているので、折り作業が容易で、しかも所定箇所に綺麗に折り目を付けることができ、仕上がりが良好なものとなる。
【００１５】
更に、粘着層が設けられているシートにおいて粘着層と反対側の面にペーパークラフト作成のための説明を印刷しておくことにより、貼合せの手順が分り、より容易にペーパークラフト組立て体を作成することができる。
【考案を実施するための最良の形態】
【００１６】
以下図面に示した実施例に基いて本考案を詳細に説明する。図１は本考案のペーパークラフトの一実施例の平面図、図２は図１に示したペーパークラフトの糊代部における剥離紙を剥がした状態の平面図、図３は図１のIII−IIIに沿った断面図であり、厚み方向は拡大して図示している。
【００１７】
図１はサイコロを作成するための本考案のペーパークラフトＡであり、サイコロの展開図に相当する本体部１と糊代部２とからなる輪郭を有している。図３に示すように、本考案のペーパークラフトＡは片面に剥離層１０ａが設けられている剥離紙１０と片面に粘着層２０ａが設けられているシート２０とからなり、剥離紙１０とシート２０は剥離層１０ａと粘着層２０ａが接して貼り合されている。剥離紙１０において剥離層と反対側の面１０ｂにサイコロの目が印刷されている。
【００１８】
図１および図３に示すように、本体部１と糊代部２との境界線１ａにおいて切込み１１により剥離紙１０のみがカットされており、本体部１における折り目１ｂに沿って折り罫１２またはミシン罫が設けられている。
【００１９】
剥離紙１０の材質は特に限定されないが、上質紙または合成紙が適している。これらの紙の片面にシリコーン等を塗布して剥離紙とする。印刷を行う関係で、白色の用紙を使用することが好ましい。反対側の面１０ｂには、印刷に適したインク受容層を設けてもよい。
【００２０】
また、片面に粘着層２０ａが設けられるシート２０の材質は上質紙、合成紙、フィルム等である。その反対側の面２０ｂには、ペーパークラフト組立て体を作成するのための説明、手順等が印刷されていることが好ましく、また反対側の面２０ｂには、印刷に適したインク受容層を設けてもよい。
【００２１】
この実施例のペーパークラフトＡを作成するには、図２に示すように、糊代部２の剥離紙１０を剥がす。このようにすると、シート２０の粘着層２０ａが現れる。そして、折り罫１２の箇所で本体部１を折り曲げて、糊代部２と貼合せるべき箇所とを順次貼合せていくと、三次元の形態を有するペーパークラフト組立て体（実施例の場合はサイコロ）を簡単に作成できる。
【００２２】
図１〜図３に示したペーパークラフトを製造するには、四角形の剥離紙１０と片面に粘着剤を塗布した四角形のシート２０とを貼合せる。剥離紙における剥離層と反対側の面にペーパークラフトとして必要な印刷を行う。次に、トムソン打抜きにより、剥離紙１０とシート２０とをペーパークラフトの輪郭に沿って打抜くと共に、切込み１１および折り罫を形成する。切込み１１はトムソン刃の高さを低くすること、折り罫はトムソン刃の高さを更に低くすることおよび刃先を丸めておくことで、一工程で行える。なお、折り罫に代えてミシン罫としてもよい。
【００２３】
図４は本考案のペーパークラフトの別の実施例の平面図であり、図５は図３と同様の断面図である。この実施例では、片面に剥離層１０ａが設けられている剥離紙１０と片面に粘着層２０ａが設けられているシート２０とが、剥離層１０ａと粘着層２０ａが接するようにして貼り合されている。剥離紙１０において剥離層１０ａと反対側の面１０ｂに本体部１と糊代部２とからなるペーパークラフトＡが印刷されている。ペーパークラフトＡの輪郭に沿って切離し用切込み１３が形成されている。切離し用切込み１３は剥離紙１０およびシート２０を貫通しており、極めて短い距離に切込みが入っておらず、ペーパークラフトＡと周囲の部分とを繋いでいる。この繋がっている箇所は、刃物を使用しなくても、簡単に手で切れるものとする。
【００２４】
第１実施例と同様に、ペーパークラフトＡの本体部１と糊代部２との境界線１ａにおいて剥離紙のみが切込み１１によりカットされており、本体部１における折り目１ｂに沿って折り罫１２またはミシン罫が設けられている。
【００２５】
この第２実施例はペーパークラフトＡを周囲の部分から切離していないので、組立て前にペーパークラフトＡが折れ曲がったりし難い。
【００２６】
また、図示した実施例は簡単な形状のものであるが、本考案は複雑な形状のペーパークラフトＡに特に適している。また、１枚のペーパークラフトＡから製作するものが実施例として図示されているが、これに限定されず、特許文献１に開示されているように、複数のペーパークラフトＡからなるペーパークラフト組立て体を製作するのにも適している。
【図面の簡単な説明】
【００２７】
【図１】本考案のペーパークラフトの一実施例の平面図である。
【図２】図１に示したペーパークラフトの糊代部における剥離紙を剥がした状態の平面図である。
【図３】図１のIII−IIIに沿った断面図であり、厚み方向は拡大して図示している。
【図４】本考案のペーパークラフトの別の実施例の平面図である。
【図５】図４のＶ−Ｖに沿った断面図であり、厚み方向は拡大して図示している。
【符号の説明】
【００２８】
Ａ  ペーパークラフト
１  ペーパークラフトの本体部
２  ペーパークラフトの糊代部
１ａ  本体部１と糊代部２との境界線
１ｂ  折り目
１０  剥離紙
１０ａ  剥離層
１０ｂ  剥離層と反対側の面
１１  ハーフカットの切込み
１２  折り罫
１３  切離し用切込み
２０  シート
２０ａ  粘着層
【図１】
0003122516.tif 000003
【図２】
0003122516.tif 000004
【図３】
0003122516.tif 000005
【図４】
0003122516.tif 000006
【図５】
0003122516.tif 000007